(57)【要約】動画リリースプリントを作製するために用いられるインターネガティブ複製（１２）は、インターネガティブ複製に対して特定の復号化パターンを備えるように少なくとも１つのフレーム内の少なくとも１つの領域を露光することによりマーキングされる。このように、違法なラボラトリにより作製されるコンテンツの海賊版は追跡されることが可能である。
2010531466.tif 000002
【特許請求の範囲】
【請求項１】
復号化可能パターンを入れるように意図されたインターネガティブ複製から作製されたリリースプリントにおける複数の位置から離れた、特定化のためのインターネガティブ複製内の少なくとも１つの区別可能な位置において、少なくとも１つの露光領域を生成する光ビームに対してインターネガティブ複製を露光するステップ；
を有する方法。
【請求項２】
請求項１に記載の方法であって、区別可能な位置で復号化可能パターンを確立するように、複数の露光領域を生成するようにインターネガティブ複製を露光するステップを更に有する、方法。
【請求項３】
請求項１に記載の方法であって、複数の区別可能位置の各々において少なくとも１つの露光領域を生成するように前記インターネガティブ複製を露光するステップを更に有する、方法。
【請求項４】
請求項１に記載の方法であって、複数の区別可能な位置の各々において複数の露光領域を生成するように前記インターネガティブ複製を露光するステップを更に有する、方法。
【請求項５】
請求項１に記載の方法であって、前記露光するステップに後続して、前記インターネガティブ複製からリリースプリントを作製するステップを更に有する、方法。
【請求項６】
インターネガティブ複製の受信者が認識していない前記インターネガティブ複製内の少なくとも１つの区別可能位置における特定化のために少なくとも１つの露光領域を生成する光ビームに対してインターネガティブ複製を露光するステップ；
を有する方法。
【請求項７】
請求項６に記載の方法であって、区別可能な位置で復号化可能パターンを確立するように、複数の露光領域を生成するようにインターネガティブ複製を露光するステップを更に有する、方法。
【請求項８】
請求項６に記載の方法であって、複数の区別可能位置の各々において少なくとも１つの露光領域を生成するように前記インターネガティブ複製を露光するステップを更に有する、方法。
【請求項９】
請求項６に記載の方法であって、複数の区別可能な位置の各々において複数の露光領域を生成するように前記インターネガティブ複製を露光するステップを更に有する、方法。
【請求項１０】
請求項６に記載の方法であって、前記露光するステップに後続して、前記インターネガティブ複製からリリースプリントを作製するステップを更に有する、方法。
【発明の詳細な説明】
【技術分野】
【０００１】
本発明は、海賊版のソースを特定するために映画フィルムを法科学的にマーキングする技術に関する。
【背景技術】
【０００２】
映画フィルムを作製する従来のプロセスは、カメラのオペレータがフィルムのある長さにポジティブ画像を露光するときに得られるオリジナルカメラネガティブ（ＯＣＮ）の生成を始める。ＯＣＮは、フィルムストック（ｆｉｌｍ  ｓｔｏｃｋ）の長さに対してプリントされ、そのフィルムストックは、一般に、インターポジティブは現像されるときにポジティブ画像を生成するために、インターポジティブと呼ばれている。インターポジティブプリントは、その場合、展示リリースプリントを作製するためのマスターとしての役割を果たすインターネガティブ複製を生成するように、色のタイミングを含む処理が行われるが、それに限定されるものではない。
【０００３】
従来、コンテンツクリエータ、例えば、映画スタジオは、とりわけ、インターネガティブ複製からリリースプリントを作製するために、Ｔｅｃｈｎｉｃｏｌｏｒ，Ｉｎｃ等の外部のサービスプロバイダに依存している。インターネガティブ複製の数は依然として少ないままであり、リリースプリントのプリンティングが行われる設備の数は、インターネガティブ複製の周囲のセキュリティが管理可能であるように維持されるように、限定されたままである。それ故、リリースプリントが違法なエグジビタ（ｅｘｈｉｂｉｔｏｒ）により複製されるリスクは、依然としてかなり実際的である。そのために、多くの映画スタジオは、今日、サービスプロバイダがそのプリントに一意である検出可能なパターンを各々のリリースプリントにマーキングすることを主張している。このように、そのプリントの違法コピーは、リリースプリントに一意である検出可能なパターンを有し、従って、映画スタジオがそのプリントを受信した特定のエグジビタへの違法コピーを追跡することを可能にする。米国特許出願公開第２００６／０２８６４８９号明細書の内容は、追跡目的でリリースプリントをマーキングするために現在存在する種々の技術の構成要素の一例である。
【０００４】
映画スタジオはその映画スタジオのコンテンツの広範な地理的販売を追求するためには、適切なタイミングで限定された数の家庭用設備からリリースプリントを供給する能力では困難であることが判明した。従って、リリースプリント製品について責任を担うサービスプロバイダは、国内の地方のラボラトリがこのタスクを下請けするように求めている。典型的には、リリースプリントの無許可の製造及び販売を防止する国内の設備をモニタする能力は、仮にあったとしても、かなり限定的に存在している。それ故、違法なラボラトリは、典型的には、インターネット又はＤＶＤにおけるリリースのためのディジタルファイルに対して直接スキャンするインターネガティブを用いる。これは、通常、映画ラボラトリが、ある時期にインターネガティブの所有権を“失う”ときに、偶然に判明し、通常、ラボラトリの職員との積極的な連携からもたらされている。
【０００５】
従って、違法ラボラトリにより作製されたリリースプリントを追跡する必要性が存在している。
【先行技術文献】
【特許文献】
【０００６】
【特許文献１】米国特許出願公開第２００６／０２８６４８９号明細書
【発明の概要】
【発明が解決しようとする課題】
【０００７】
要約すると、本発明の好適な実施形態に従って、リリースプリントを複製するマスターとしての役割を果たすインターネガティブ複製を法科学的にマーキングする方法を提供する。その方法は、インターネガティブ複製から作製されたリリースプリントにおける復号化可能パターンを入れる位置から離れているインターネガティブ複製において少なくとも１つの区別可能な位置に置かれた少なくとも１つの露光パターンを生成する光ビームに対してインターネガティブ複製を露光するステップを有する。
【図面の簡単な説明】
【０００８】
【図１】本発明に従って露光パターンを生成する光ビームに対してインターネガティブ複製を露光するシステムの模式的なブロック図である。
【図２】本発明に従ってマーキングされたインターネガティブ複製のフレームを示す図である。
【発明を実施するための形態】
【０００９】
以下に詳細に説明するように、違法なラボラトリ、即ち、コンテンツプロバイダにより必要とされるような各々の個別のリリースプリントをマーキングしないラボラトリが作製した映画フィルムの海賊版を特定する技術が提供される。フィルムに対して欠陥の配置を必要とした従来の符号化とは対照的に、多くのコンテンツプロバイダに受け入れられなかった実施、即ち、本発明の原理についての技術は、インターネガティブ複製をマーキングする非破壊方法に依存するものである。
【００１０】
図１は、インターネガティブ複製１２をマーキングするための本発明の原理の例示としての実施形態に従ったシステム１０の模式的なブロック図である。そのシステム１０はモータ駆動型ハブ１４及び１６を有し、それらのモータ駆動型ハブの各々は供給リール１８及び巻き取りリール２０のそれぞれの別個の一を組み込んでいる。マーキング動作の冒頭において、供給リール１８は、未だにマーキングされていないインターネガティブ複製１２のある長さを有し、巻き取りリールは空のまま保たれる。間隔を置いたローラ２２及び２４は、供給リール１８から供給され且つ巻き取りリール２０により巻き取られ、インターネガティブ複製を案内して、係合する役割を果たす。ローラ２２及び２４は、インターネガティブが直線状経路２６に沿って進むときに、そのインターネガティブ１２を一般にピンと張ったまま保つ。ローラ２２及び２４はモータ駆動される必要はないが、モータ駆動の場合は、それらのローラは、モータ駆動型ハブ１４及び１６と同期して動作する。モータ駆動型ハブ１４及び１６（及びローラ２２及び２４は、モータ駆動の場合）は、正確な位置付けを可能にする位置センサ（図示せず）により検知されながら、インターネガティブ複製の位置に従ったサーボ制御下で動作する。
【００１１】
共線的な光ビーム３０を生成する光源２８はローラ２２及び２４間に位置付けられている。実際には、光源２８は、典型的には、キセノンランプを有する。代替として、光源２８は、レーザ等を有することが可能である。ローラ２２及び２４間にあるインターネガティブ複製１２の部分に関連する光源２８の方位は、光ビーム３０が、矢印で示されている進行経路に対して一般に垂直方向にあるインターネガティブ複製を照射するようになっている。
【００１２】
マーキングプロセスを開始するように、オペレータは、供給リール１６からインターネガティブ複製１２の部分を広げ、巻き取りリール１８に対して自由端を固定する前に、固定のためにローラ２２及び２４の上をインターネガティブ複製を通す。その後、オペレータは、光ビーム３０により特定のフレームの露光を可能にするように、光源２８の反対側で当該フレームを位置合わせするようにインターネガティブ複製１２を進める。実際には、光ビーム３０は、インターネガティブに特定の特別なパターンを生成するようにインターネガティブ複製１２の所定のフレームを露光する。典型的には、複数のフレームが、同じパターンを生成するように露光される。露光パターンは、そのインターネガティブから作製されるリリースプリントの海賊版を流通させる違法ラボラトリの特定を容易にするようにそのインターネガティブ複製の特定の受信者を特定するコードに対応する。インターネガティブにおける１つ又はそれ以上のフレームを露光するプロセスについて、以下では、“マーキング”と表す。
【００１３】
図２は、そのフレームにおける露光パターンを集合的に有する露光領域１００を示すインターネガティブ複製１２の例示としてのフレームを示している。図２は複数の露光領域１００を示しているが、インターネガティブをマーキングするには単独のフレームにおける単独の露光領域で十分である。代替として、複数の露光パターンが単独のフレーム内に存在することが可能である、又は複数のフレームが存在し、それら複数のフレームの各々が少なくとも１つの露光パターンを有することが可能である。
【００１４】
露光パターンを有するフレーム内の複数の露光領域１００の位置フレーム及びフレームの同一性、並びにそのパターンの特定形状は、複数のリリースプリントをマーキングする目的でインターネガティブ複製を受信するラボラトリには知らされないように保たれる。更に、インターネガティブ複製における複数の露光領域の位置は、インターネガティブ複製から作製されたリリースプリントにおける位置に関連して区別可能である。
【００１５】
一般に、インターネガティブ複製１２のようなインターネガティブ複製からリリースプリントを作製する下請けのラボラトリは、基本的コンテンツの海賊版の追跡を可能にするように特定の復号化可能パターンを各々のリリースプリントにマーキングする義務を有する。違法なラボラトリは、典型的には、基本的コンテンツの海賊版を流通させる機会をそれ自体に与えるようにリリースプリント全てをマーキングしない。しかしながら、インターネガティブ複製をマーキングすることにより、コンテンツオーナー又はエージェントは、インターネガティブ複製から作製されたリリースプリントを追跡して、そのリリースプリントが何れかのマーキングを有するかどうかに拘わらず、そのような著作権侵害について責任がある違法なラボラトリを特定することが可能である。インターネガティブ複製から作製されたリリースプリントにおけるマーキングのための意図された位置と区別可能なインターネガティブ複製における露光パターン１００の位置の選択は、インターネガティブ露光パターンの復号化を容易にする。
【００１６】
上では、海賊版のソースを特定するようにインターネガティブ複製にマーキングする技術について説明されている。
【図１】
2010531466.tif 000003
【図２】
2010531466.tif 000004
【国際調査報告】
2010531466.tif 000005
2010531466.tif 000006
2010531466.tif 000007